(57)【要約】【課題】本発明は、通電することなく過電流調整を行える回路遮断器を提供することを目的としている。【解決手段】バイメタルの温度による変位性を利用して過電流が流れた場合にバイメタルが可動接点を動作させるハンドルに作用する掛合片に当たることで回路を遮断する機構を有し、バイメタルの変位速度とバイメタルと掛合片との距離とを調整する過電流調整において、バイメタルがどの温度でどのくらいの変位があるかのデータより適正なバイメタルの位置を決定する調整部材を掛合片の先端に取り付け、回路遮断器の短手面に設けられた調整穴に挿通された調整ねじにより負荷座の位置を変更させ、バイメタルと掛合片との距離を調整可能とすることを特徴とする。【選択図】図１
2010244701.tif 000002
【特許請求の範囲】
【請求項１】
電源側端子から固定接点、可動接点を経て、該可動接点には可撓銅線を介してバイメタルを接続させて負荷座から負荷側端子へと導通される回路遮断器であって、前記バイメタルの温度による変位性を利用して過電流が流れた場合に前記バイメタルが前記可動接点を動作させるハンドルに作用する掛合片に当たることで回路を遮断する機構を有し、前記バイメタルの変位速度と前記バイメタルと掛合片との距離とを調整する過電流調整において、前記バイメタルがどの温度でどのくらいの変位があるかのデータより適正なバイメタルの位置を決定する調整部材を前記掛合片の先端に取り付け、前記回路遮断器の短手面に設けられた調整穴に挿通された調整ねじにより前記負荷座の位置を変更させ、前記バイメタルと掛合片との距離を調整可能とすることを特徴とする回路遮断器。
【請求項２】
前記回路遮断器であって、前記調整部材を前記回路遮断器内へ取り付けるための挿入孔を前記回路遮断器の長手面に設けたことを特徴とする請求項１に記載の回路遮断器。
【請求項３】
前記回路遮断器であって、前記挿入孔には蓋体を設け、前記過電流調整終了後は前記蓋体により、前記挿入孔を施蓋することを特徴とする請求項２に記載の回路遮断器。
【請求項４】
前記回路遮断器であって、前記調整部材を円弧状に形成し、前記蓋体と一体に形成可能すると共に、前記過電流調整後は前記蓋体を反転させて前記挿入孔を施蓋することを特徴とする請求項３に記載の回路遮断器。
【発明の詳細な説明】
【技術分野】
【０００１】
本発明は、電源側端子から固定接点、可動接点を経て、可動接点に可撓銅線を介してバイメタルを接続させて負荷座から負荷側端子へと導通される回路遮断器に関するものである。
【背景技術】
【０００２】
回路遮断器の過電流調整は、回路遮断器の短手面に設けられた調整穴に挿通された調整ねじの締め付けにより、回路遮断器に組み込まれている負荷座に位置調整でバイメタルを適正な位置に移動させて行われる。従来、この過電流調整は、回路遮断器に通電した状態で行っていた。実際に過電流をかけ、バイメタルを熱により変位させ、規定の電流を流したときに、規定の時間で回路が遮断されるように、調整ねじを締め付けて調整していた。一旦調整した後、試験のためにもう一度過電流をかけ確認する。このときに規定値を外れていた場合は、また、調整しなおす。
【先行技術文献】
【特許文献】
【０００３】
【特許文献１】特開２００８−３４３１３号公報
【発明の概要】
【発明が解決しようとする課題】
【０００４】
実際に過電流をかけての調整であるため、一度バイメタルを変位させてしまうと、試験をしたり、再調整をしたりするには、バイメタルを冷ます必要があり、元の状態に戻すのに、一時間から二時間の放置時間が必要である。
【０００５】
通電状態での調整は危険もあり、さらに再調整や試験の際には、バイメタルをいちいち冷まさなくてはならず、非常に作業性の悪いものであった。
【課題を解決するための手段】
【０００６】
そこで本発明は、通電することなく過電流調整を行える回路遮断器を提供することを目的とし、その構造は、バイメタルの温度による変位性を利用して過電流が流れた場合にバイメタルが可動接点を動作させるハンドルに作用する掛合片に当たることで回路を遮断する機構を有し、バイメタルの変位速度とバイメタルと掛合片との距離とを調整する過電流調整において、バイメタルがどの温度でどのくらいの変位があるかのデータより適正なバイメタルの位置を決定する調整部材を掛合片の先端に取り付け、回路遮断器の短手面に設けられた調整穴に挿通された調整ねじにより負荷座の位置を変更させ、バイメタルと掛合片との距離を調整可能とすることを特徴とする。
【０００７】
また、調整部材を回路遮断器内へ取り付けるための挿入孔を回路遮断器の長手面に設けたことを特徴とする解決しようとする。
【０００８】
また、挿入孔には蓋体を設け、過電流調整終了後は蓋体により、挿入孔を施蓋することを特徴とする。
【０００９】
また、調整部材を円弧状に形成し、蓋体と一体に形成可能すると共に、過電流調整後は蓋体を反転させて挿入孔を施蓋することを特徴とする。
【発明の効果】
【００１０】
本発明の回路遮断器は、バイメタルの温度による変位性を利用して過電流が流れた場合にバイメタルが可動接点を動作させるハンドルに作用する掛合片に当たることで回路を遮断する機構を有し、バイメタルの変位速度とバイメタルと掛合片との距離とを調整する過電流調整において、バイメタルがどの温度でどのくらいの変位があるかのデータより適正なバイメタルの位置を決定する調整部材を掛合片の先端に取り付け、回路遮断器の短手面に設けられた調整穴に挿通された調整ねじにより負荷座の位置を変更させ、バイメタルと掛合片との距離を調整可能とするため、無通電であるので安全に作業が行え、再調整や試験の場合にも、バイメタルの変位を元に戻すため冷ます必要がなくすぐに行うことができ作業効率が良くなる。
【００１１】
また、調整部材を回路遮断器内へ取り付けるための挿入孔を回路遮断器の長手面に設けたため、回路遮断器を動作可能に組み立てられた状態で、過電流調整が可能となり、従来のように、毎回、ケース全体を開いたりする手間が省け、調整作業が容易になる。
【００１２】
また、挿入孔には蓋体を設け、過電流調整終了後は蓋体により、挿入孔を施蓋するため、回路遮断器を動作可能に組み立てられた状態で、過電流調整が可能となり、従来のように、ケースを開いたりする手間が省け、調整作業が容易になる。
【００１３】
また、調整部材を円弧状に形成し、蓋体と一体に形成可能すると共に、過電流調整後は蓋体を反転させて挿入孔を施蓋するため、部品点数を抑えられると共に、部品の紛失の虞も減る。蓋体を回転させるだけなので、作業性も損なわれない。
【図面の簡単な説明】
【００１４】
【図１】回路遮断器の内部機構を示す断面図である。
【図２】本発明に係る回路遮断器を示す説明図である。
【図３】図２における回路遮断器に取り付けた調整部材の動作を示す説明図である。
【図４】調整部材を取り除き試験をしている状態を示す説明図である。
【図５】図３における回路遮断器に蓋体を設けた状態を示す説明図である。
【図６】図４における蓋体の拡大図である。
【図７】本発明に係る回路遮断器を示す説明図である。
【図８】図６に示す回路遮断器の蓋体をロックした状態を示す説明図である。
【発明を実施するための形態】
【００１５】
本発明に係る回路遮断器の実施例を図１〜図９の添付図面に基いて説明する。
【００１６】
本発明は、過電流が流れた場合に、一定時間内に回路を遮断する機構を持つ、回路遮断器に関する。図１に示すように、回路遮断器１は、ケース２の上部に回路のオン・オフを操作する操作ハンドル３が設けられている。電源側端子４から固定接点５、可動接点６を経て可動接点６に可撓銅線７を介してバイメタル８を接続し負荷座９から負荷側端子１０へと導通されている。さらに、バイメタル８の変位により動作する掛合片１１が設けられ、掛合片１１は操作ハンドルユニット１２と接続しているので、過電流が流れた場合には、バイメタル８の、伝わった熱による変位で掛合片１１に触れることで、操作ハンドルユニット１２が動作し、回路が遮断される仕組みである。
【００１７】
バイメタル８は、その温度により変位角度と変位速度が異なる。過電流の大きさによって発生する温度が異なるため、その過電流の大きさによってバイメタル８の変位角度と変位速度が異なってくる。回路遮断器１の性能を一定にするために、ある大きさの過電流が流れたときに、バイメタル８が変位する角度と速度とを規定している。このバイメタル８の変位する角度と速度とを一定にするために過電流調整を行っている。
【００１８】
過電流調整は、ケース２の短手面２ａに設けられた調整穴１３に挿通された調整ねじ１４を締め付けることで、ケース内側に組み込まれている負荷座９の位置を調整することにより行う。例えば１００％の電流が流れているときは、バイメタル８の変位は少なく、回路は遮断されない。１２５％の電流が流れたときには、バイメタル８は変位し一時間で掛合片１１に当たって、回路が遮断される。また、２００％の電流が流れたときには、バイメタル８が変位し４０秒以内に掛合片に当たって、回路が遮断される。このように、規定された場合、バイメタル８が変位して掛合片１１にその時間内で接触するように、バイメタル８と掛合片１１との間の距離を調整する。
【００１９】
バイメタル８がある時間でどれくらいの変位があるかといった特性は事前にわかっているので、そのデータに基いて割り出されたバイメタル８と掛合片１１との距離が計測可能である調整部材１５を掛合片１１の端部に取り付ける。図２〜図４では、調整部材１５は円筒形とし、掛合片１１から調整部材１５の半径分離れた位置にバイメタル８が配置されるように、調整ねじ１４で負荷座の位置を調整する。図４に示すように、調整部材１５を取り除いてから、試験として電流を流し、実際に規定の通りの動作がされるかどうかを確認する。
【００２０】
従来は、バイメタルの配置位置の決定は、通電状態で実際にバイメタルを変位させ回路を遮断することで行われていたため、一度バイメタルを変位させてしまうと、次に動作させるためには、バイメタルが元の位置に戻るまで冷ます必要があり、過電流調整に多くの時間を費やすこととなっていた。本発明では、過電流調整は、通電するのは動作の試験時のみであるため、作業性がよく、効率よく過電流調整ができるということが特徴である。
【００２１】
図２〜図４に示すように、本発明の請求項２に係る回路遮断器１は、回路遮断器１のケース２内に調整部材を入れるための挿入孔１６をケース長手面２ｂ両面に設ける。回路遮断器１の組み立てが完了してから、過電流調整が可能となる。従来過電流調整は、回路遮断器１のケース２を開いたまま、バイメタル８と掛合片１１との状態を目視しながら行い、調整した後にケース２を閉じ回路遮断器１の組み立てを完了させていた。過電流調整の終わった回路遮断器１が、ケース２を閉じる作業中に調整が狂ってしまう虞もあったが、本発明では、回路遮断器１の組み立てが完了した後に過電流調整をすることができ、確実な調整ができるようになる。
【００２２】
図５に示すように、本発明の請求項３に係る回路遮断器は、請求項２に記載の回路遮断器１のケース２に設けた挿入孔１６に蓋体１７を設けたものである。回路遮断器１の組み立てが完了してから、過電流調整が可能となる。従来過電流調整は、回路遮断器１のケース２を開いたまま、バイメタル８と掛合片１１との状態を目視しながら行い、調整した後にケース２を閉じ回路遮断器１の組み立てを完了させていた。過電流調整の終わった回路遮断器１が、ケース２を閉じる作業中に調整が狂ってしまう虞もあったが、本発明では、回路遮断器１の組み立てが完了した後に過電流調整をすることができ、確実な調整ができるようになる。
【００２３】
図６〜図８本発明の請求項４に係る回路遮断器は、調整部材１５を断面略半円形とし、ケース２の挿入孔１６を施蓋する蓋体１７と一体に形成する。一体に形成することにより、過電流調整を行った後、調整部材１５を取り除く必要がなく、また、調整部材１５は小さい部品であるが、紛失の虞も少なくなる。また、蓋体１７と一体に形成することにより、蓋体１７を閉じた状態でバイメタル８が正常に動作できるように、調整部材１５は断面略半円形とし、挿入孔１６を蓋体１７で施蓋する場合には、蓋体１７を半回転させ過電流調整部を掛合片１１のバイメタル８に対して反対側に配置する。過電流調整時には、バイメタル８と掛合片１１との間の距離を測り、回路遮断器１完成時には、バイメタル８の動作を妨げないような位置に配置可能とする。
【００２４】
また、過電流調整部を施蓋する蓋体１７と、調整部材１５を差込む挿入孔１６周縁部には、それぞれ対向する印１８を設け、蓋体１７の挿入孔１６への差し込み向きや、蓋体１７の固定向きとが、外側から確認可能とすることもできる。例えば、図７は、蓋体１７を挿入孔１６に差し込んだ状態に印１８を合わせている。また、図８は、蓋体１７を挿入孔１６に固定した状態に印１８を合わせている。
【符号の説明】
【００２５】
１    回路遮断器
２    ケース
２ａ  短手面
２ｂ  長手面
３    操作ハンドル
４    電源側端子
５    固定接点
６    可動接点
７    可撓銅線
８    バイメタル
９    負荷座
１０  負荷側端子
１１  掛合片
１２  操作ハンドルユニット
１３  調整穴
１４  調整ねじ
１５  調整部材
１６  挿入孔
１７  蓋体
【図１】
2010244701.tif 000003
【図２】
2010244701.tif 000004
【図３】
2010244701.tif 000005
【図４】
2010244701.tif 000006
【図５】
2010244701.tif 000007
【図６】
2010244701.tif 000008
【図７】
2010244701.tif 000009
【図８】
2010244701.tif 000010